(57)【要約】【課題】意匠性に優れ、しかも、長期間にわたって見栄えの良さを保持することができ、しかも、手指から落としにくい加飾容器を提供する。【解決手段】表面の少なくとも一部が樹脂成形体によって構成された容器であって、上記樹脂成形体の表面にプリズム状凹凸面８が形成され、このプリズム状凹凸面８に対応する上記樹脂成形体の部分に、オーロラ調の色調を有するフィルム材６が配設されている。【選択図】図２
2006341868.tif 000002
【特許請求の範囲】
【請求項１】
表面の少なくとも一部が樹脂成形体によって構成された容器であって、上記樹脂成形体の表面にプリズム状凹凸面が形成され、このプリズム状凹凸面に対応する上記樹脂成形体の部分に、オーロラ調の色調を有するフィルム材が配設されていることを特徴とする加飾容器。
【請求項２】
上記樹脂成形体の表面に上記フィルム材が、上記表面のプリズム状凹凸面に沿って折り曲げられた状態で固着されている請求項１記載の加飾容器。
【請求項３】
上記プリズム状凹凸面が、上記樹脂成形体の表面にプリズムシートのプリズム面を転写することにより形成されている請求項１または２記載の加飾容器。
【発明の詳細な説明】
【技術分野】
【０００１】
本発明は、加飾容器に関するものである。
【背景技術】
【０００２】
化粧料を収容したコンパクト容器や口紅容器等の各種の化粧料容器等には、単に機能性だけでなく、見栄えがよい、商品イメージを反映したデザインである、といった意匠性も要求されている。そのため、上記化粧料容器等に加飾を施す技術が、従来からいろいろと提案されている。例えば、化粧料容器を構成する容器本体や蓋体の表面に塗料を塗る等してオーロラ調やオパール調に見えるような加飾を施すことが行われている（例えば、特許文献１参照）。
【特許文献１】特開平８−２３１９００号公報
【発明の開示】
【発明が解決しようとする課題】
【０００３】
しかしながら、近年、化粧料容器等に様々な加飾が施されており、単にオーロラ調等に加飾するだけでは、顧客の目を強く引き付けることができないという問題がある。しかも、経時的に塗料が変質したり磨耗，損傷したりして、早期に見栄えが悪くなるという問題がある。しかも、容器本体や蓋体の表面がすべすべしていると、手指が滑りやすく、容器を手指から落としやすいという問題もある。
【０００４】
本発明は、このような事情に鑑みなされたもので、意匠性に優れ、しかも、長期間にわたって見栄えの良さを保持することができ、しかも、手指から落としにくい加飾容器の提供をその目的とする。
【課題を解決するための手段】
【０００５】
上記の目的を達成するため、本発明の加飾容器は、表面の少なくとも一部が樹脂成形体によって構成された容器であって、上記樹脂成形体の表面にプリズム状凹凸面が形成され、このプリズム状凹凸面に対応する上記樹脂成形体の部分に、オーロラ調の色調を有するフィルム材が配設されているという構成をとる。
【発明の効果】
【０００６】
すなわち、本発明の加飾容器は、その表面の少なくとも一部を構成する樹脂成形体の表面にプリズム状凹凸面が形成され、このプリズム状凹凸面に対応する上記樹脂成形体の部分に、オーロラ調の色調を有するフィルム材が配設されている。したがって、本発明の加飾容器では、上記フィルム材により、容器表面にオーロラ調の光学的な色模様が見えるうえ、上記プリズム状凹凸面により、上記色模様の輝きが増し、深みのある立体的な色模様となって見え、従来例のように、容器表面に塗料を塗る等したものとは全く異なる色模様であり、意匠性に優れる。しかも、本発明の加飾容器では、上記フィルム材やプリズム状凹凸面が早期に変質したり磨耗，損傷したりすることがなく、長期間にわたって見栄えの良さを保持することができる。しかも、本発明の加飾容器の表面は、上記プリズム状凹凸面を形成した部分がざらざらしており、手指が滑りにくく、容器を手指から落としにくくなる。しかも、上記フィルム材は、複数の透明フィルムを積層したものからなるため、強度が強く、運搬時等に本発明の加飾容器の表面に衝撃等が作用しても、これを吸収することができる。
【０００７】
なお、本発明において、「プリズム状凹凸面」とは、微小凹凸（表面粗さ：十点平均粗さで０．１〜３０μｍ程度）が形成されこの微小凹凸によりプリズム効果を奏する面を意味している。上記微小凹凸の形状としては、（一辺が底辺となる）断面形状略三角形の突条が所定方向に多数並設されたもの（図３参照）や、断面形状略Ｖ字の溝が所定方向に多数併設されたものや、角錐形状（例えば、４角錐形状），角錐台形状（例えば、４角錐台形状）もしくは円錐形状，円錐台形状の多数の凸部が整列状に（例えば、所定方向と、これに直交する方向に整列状に）立設されたもの（図７参照）や、凹曲面と凸曲面とを所定方向に交互に連続させた波形状のもの等があげられ、市販されているプリズムシートを用い、このプリズムシートのプリズム面を容器表面に転写することで形成することができる各種のものが考えられる。
【０００８】
また、本発明において、「オーロラ調の色調を有するフィルム材」とは、各層の光路差干渉（屈折率×厚み）による特定波長の多重増反射を利用した構造発色によりオーロラ調の色調を呈する多層積層構造のフィルム材、色および屈折率の少なくとも一方が異なる多数の透明フィルムを積層することによりオーロラ調の色調を呈するフィルム材等（箔でもよい）からなり、それ自身で容器表面の形状に沿う形状寸法に形成されているものを意味する。
【０００９】
このようなフィルム材は、上記フィルム材を積層する容器の色を基調色としたオーロラ調の色調を容器表面に付与することができる。また、上記透明フィルムとしては、ポリエチレンテレフタレート（ＰＥＴ）等のポリエステル系、ポリエチレン，ポリプロピレン等のポリオレフィン系、ナイロン等のポリアミド系、その他セルロース系、ビニル系等の透明フィルムが用いられる。また、上記フィルム材としては、例えば、ＰＥＴ製の極薄透明プラスチックフィルムを多数積層したフィルム等、各種の市販品が用いられる。また、容器と上記市販品とをくっつきやすくするために、上記市販品にポリカーボネート（ＰＣ）等をラミネートしたものも、上記フィルム材として用いられる。上記フィルム材の厚みは、通常、１〜１００μｍ程度に設定されている。
【００１０】
また、上記樹脂成形体の表面に上記フィルム材が、上記表面のプリズム状凹凸面に沿って折り曲げられた状態で固着されていると、上記フィルム材自体がプリズム状凹凸面に沿って折り曲げられているため、オーロラ調の光学的な色模様がより一層輝いて見え、非常に深みのある立体的な色模様となって見える。なお、本発明において、「樹脂成形体の表面に上記フィルム材が……固着されている」とは、樹脂成形体の表面に上記フィルム材が埋設された状態で固着されていてもよいし、樹脂成形体の表面上に上記フィルム材が載置された状態で固着されていてもよい。
【００１１】
また、上記プリズム状凹凸面が、上記透明樹脂成形体の表面にプリズムシートのプリズム面を転写することにより形成されていると、上記プリズムシートとして、市販品を用いることにより、安価に上記プリズム状凹凸面を形成することができる。
【発明を実施するための最良の形態】
【００１２】
つぎに、本発明の実施の形態を図面にもとづいて詳しく説明する。
【００１３】
図１は本発明の加飾容器の一実施の形態を示している。この実施の形態では、加飾容器として、化粧料容器を用いている。図において、１は上面にファンデーション等の化粧料（図示せず）を収容するための凹部１ａが形成された合成樹脂製の容器本体であり、２は上記容器本体１の上面を蓋する合成樹脂（この合成樹脂は、透明である必要はなく、透明であっても、不透明であってもよい）製の蓋体であり、その後端部から突設された連結部３が上記容器本体１の後端部にヒンジ連結されている。図１において、４は上記蓋体２の下面の凹部２ａに収容，貼着された鏡である。
【００１４】
上記蓋体２には、図２に示すように、その上面の略全面に、オーロラ調の色調を有し模様が全く印刷されていないフィルム材６が固着されているとともに、後述するプリズムシート７のプリズム面７ａ（図４参照）の転写によってプリズム状凹凸面８が形成されており、上記転写により、上記フィルム材６が、上記蓋体２の上面のプリズム状凹凸面８に沿って折り曲げられた状態で、上記蓋体２の上面に固着されている（図３参照）。
【００１５】
上記フィルム材６の原料フィルム材としては、ＰＥＴ製の極薄透明プラスチックフィルムを多数積層したフィルムに厚み２５０μｍのＰＣをラミネートしたものが用いられる。そして、この市販品を予め所定寸法に切断し、ついで、これを真空成形もしくは圧空成形したのち、不要部分を切断することで、それ自身が保形性を有する所望形状（この実施の形態では、上記蓋体２の上面の形状と同じ形状）のフィルム材６を作製する。このように作製したフィルム材６を、上記蓋体２を型成形する際に、公知のインサート成形等により上記蓋体２の上面に固着することを行う。
【００１６】
一方、上記プリズム状凹凸面８は、上記蓋体２の上面（すなわち、上記フィルム材６）に、上記プリズムシート７のプリズム面７ａの微小凹凸を転写することにより形成されたものである。この形成に際しては、上記インサート成形等により蓋体２を成形したのち、この成形された蓋体２の上面を加熱して軟らかくし、その状態で、この上面に上記プリズムシート７のプリズム面７ａを押し当てる等して（図４参照）このプリズム面７ａの微小凹凸を転写し、プリズム状凹凸面８を形成することを行う。
【００１７】
このように、上記実施の形態では、上記蓋体２の上面に設けたフィルム材６により、オーロラ調の色調の色模様を付与することができるうえ、上記プリズム状凹凸面８により、上記色模様の輝きが増し、深みのある立体的な色模様となって見える。特に、上記実施の形態では、フィルム材６自体がプリズム状凹凸面８に沿って折り曲げられているため、オーロラ調の光学的な色模様がより一層輝いて見え、非常に深みのある立体的な色模様となって見える。しかも、上記フィルム材６，プリズム状凹凸面８は早期に変質したり磨耗，損傷したりすることがなく、長期間にわたって見栄えの良さを保持することができる。しかも、上記蓋体２の上面は、上記プリズム状凹凸面８によりざらざらしており、手指が滑りにくく、化粧料容器を手指から落としにくくなる。しかも、上記フィルム材６は、複数の透明フィルムを積層したものからなるため、強度が強く、運搬時等に化粧料容器の表面に衝撃等が作用しても、これを吸収することができる。しかも、フィルム材６の原料フィルム材を真空成形もしくは圧空成形してフィルム材６を作製しているため、この真空成形時もしくは圧空成形時に原料フィルム材を延ばすことができ、これにより、フィルム材６を原料フィルム材よりもオーロラに似た色調にすることができる。
【００１８】
図５は本発明の加飾容器の他の実施の形態に用いる蓋体を示している。この実施の形態に用いる蓋体２は透明合成樹脂製であり、その凹部２ａの上面に上記フィルム材６が固着されている。したがって、この実施の形態に用いる蓋体２には、その上面にフィルム材６が固着されておらず、また、プリズム状凹凸面８が直接形成されている。それ以外の部分は上記実施の形態に用いる蓋体２と同様であり、同様の部分には同じ符号を付している。図５の蓋体２を用いた実施の形態でも、上記実施の形態と同様の作用・効果を奏する。しかも、上記フィルム材６とプリズム状凹凸面８との間に厚みがある分、上記蓋体２の上面に付与される色模様は、より深みがあってより立体的な色模様となる。
【００１９】
なお、図５の蓋体２を用いた実施の形態において、上記フィルム材６を蓋体２の凹部２ａの上面に接着，固定してもよいし、蓋体２の型成形時に一体化してもよい。また、この型成形時に、成形面にプリズムシート７をそのプリズム面７ａ（図４参照）を内側に向けた状態で剥離不能に貼着等してなる成形型（図示せず）を用いることにより、蓋体２の上面にプリズム状凹凸面８を形成してもよい。
【００２０】
図６は本発明の加飾容器のさらに他の実施の形態に用いる蓋体を示している。この実施の形態に用いる蓋体２には、その内部にフィルム材６が配設されており、このフィルム材６に対応する上記蓋体２の上面の部分にプリズム状凹凸面８が直接形成されている。より詳しく説明すると、上記蓋体２の天井蓋部９が上下２層９ａ，９ｂ（上側層９ｂは透明合成樹脂製であるが、下側層９ａは透明合成樹脂製である必要がない）で構成されており、これら上下２層９ａ，９ｂの間にフィルム材６が固着されている。したがって、この実施の形態に用いる蓋体２には、その上面にフィルム材６が固着されておらず、また、上側層９ｂの上面にプリズム状凹凸面８が直接形成されている。それ以外の部分は、図１〜図５に示す実施の形態に用いる蓋体２と同様であり、同様の部分には同じ符号を付している。図６の蓋体２を用いた実施の形態でも、図１〜図５に示す実施の形態と同様の作用・効果を奏する。しかも、上記フィルム材６とプリズム状凹凸面８との間に厚みがある分、上記蓋体２の上面に付与される色模様は、より深みがあってより立体的な色模様となる。
【００２１】
なお、図６の蓋体２を用いた実施の形態において、上記フィルム材６を下側層９ａの上面に接着，固定してもよいし、この下側層９ａの型成形時に一体化してもよい。また、この型成形時に、上記した方法で、上側層９ｂの上面にプリズム状凹凸面８を形成してもよい。
【００２２】
また、上記各実施の形態では、加飾容器として、化粧料容器を用いているが、これに限定するものではなく、各種の容器を用いることができる。また、上記各実施の形態において、上記蓋体２に代えて、上記容器本体１にフィルム材６およびプリズム状凹凸面８を設けるようにしてもよい。また、上記各実施の形態では、上記フィルム材６に模様が印刷されていないが、印刷してもよい。また、上記各実施の形態では、上記フィルム材６とのくっつきやすさから、上記蓋体２をＰＣ製にしているが、アクリロニトリルブタジエンスチレン共重合体（ＡＢＳ）製等の各種の合成樹脂製にしてもよい。また、上記各実施の形態では、上記蓋体２の上面にだけプリズム状凹凸面８を形成しているが、上面およびその周側縁にプリズム状凹凸面８を形成してもよい。
【００２３】
また、図１〜図５に示す実施の形態および図６の蓋体２を用いた実施の形態において、上記蓋体２の凹部２ａの上面に、色彩等を施したシート材を接着，固定してもよい。また、図１〜図５に示す実施の形態において、フィルム材６を蓋体２の上面に接着，固定してもよいし、蓋体２の型成形時に、上記した方法で、蓋体２の上面にプリズム状凹凸面８を形成してもよい。
【図面の簡単な説明】
【００２４】
【図１】本発明の加飾容器の一実施の形態を示す斜視図である。
【図２】蓋体の断面図である。
【図３】上記蓋体の要部の斜視図である。
【図４】プリズム状凹凸面の形成方法を示す説明図である。
【図５】本発明の加飾容器の他の実施の形態に用いる蓋体の断面図である。
【図６】本発明の加飾容器のさらに他の実施の形態に用いる蓋体の断面図である。
【図７】微小凹凸の形状の説明図である。
【符号の説明】
【００２５】
６  フィルム材
８  プリズム状凹凸面
【図１】
2006341868.tif 000003
【図２】
2006341868.tif 000004
【図３】
2006341868.tif 000005
【図４】
2006341868.tif 000006
【図５】
2006341868.tif 000007
【図６】
2006341868.tif 000008
【図７】
2006341868.tif 000009